(57)【要約】【課題】  燃え残った抹香や灰を簡単に素早く片づけることができる香炉を提供する。【解決手段】  本考案の香炉は、焼香に用いられる香炉１であって、抹香を燃焼するためのヒーター１５と、そのヒーター１５を面上に具備する皿部１１と、その皿部１１の下層に設けられた灰収納部２０と、を有し、皿部１１の四方の側面は、三方を香炉本体の壁面１２，１３，１４、一方を灰収納部２０に接合している前面壁２１で囲われており、灰収納部２０は、前面壁２１と一体的に香炉１本体から引き出し自在であることとする。【選択図】      図１
0003218778.tif 000002
【実用新案登録請求の範囲】
【請求項１】
焼香に用いられる香炉であって、
抹香を燃焼するためのヒーターと、
前記ヒーターを面上に具備する皿部と、
前記皿部の下層に設けられた灰収納部と、を有し、
前記皿部の四方の側面は、三方を香炉本体の壁面、一方を前記灰収納部に接合している前面壁で囲われており、
前記灰収納部は、前記前面壁と一体的に香炉本体から引き出し自在であることを特徴とする香炉。
【請求項２】
前記皿部を覆う蓋体を有し、
前記蓋体は、前記ヒーターの直上に抹香投入口と、前記抹香投入口の周囲に空気孔と、を有し、
前記抹香投入口は、前記蓋体の上面から前記ヒーターに向かって開口が徐々に狭くなる漏斗形状であることを特徴とする請求項１に記載の香炉。
【考案の詳細な説明】
【技術分野】
【０００１】
本考案は、焼香に使用される香炉に関する。
【背景技術】
【０００２】
近年、墓地の用地不足や承継者不足などの問題を解消するため、遺骨を骨壺で収蔵する納骨スペースを備えた納骨堂が増加している。納骨堂には、様々な形態があり、ロッカー型の納骨スペースが集合しているもの、それぞれに仏壇と納骨スペースを合体させたもの、更には、収納庫から参拝ブースに遺骨を納めた厨子という箱を自動的に搬送して参拝するものもある（例えば、特許文献１参照）。
【０００３】
このような納骨堂では、スペースを有効に活用するため、墓石等を共用するのだが、焼香に用いられる香炉（電熱式焼香器）も共用する場合が多い。しかし、参拝する直前に他の参拝者がその香炉を使用していた場合、燃焼中の抹香や灰が残された状態になっていることがあり、後で使用する者からすると、あまり気分のよいものではない。そこで、灰等を素早く簡単に掃除することができれば、参拝後にさっと灰等を片付けて、次の参拝者に香炉を渡すことができる。また、とりあえず、燃え残った抹香や灰を参拝者から見え難い状態に隠すことができれば、複数組の参拝が済んだ後に、まとめて掃除をすればよいということになり合理的である。
【先行技術文献】
【特許文献】
【０００４】
【特許文献１】特開２０１７−８２４８０号
【考案の概要】
【考案が解決しようとする課題】
【０００５】
上記のような事情に鑑み、本考案は、燃え残った抹香や灰を簡単に素早く片づけることができる香炉を提供することを目的としている。
【課題を解決するための手段】
【０００６】
本考案は、焼香に用いられる香炉であって、抹香を燃焼するためのヒーターと、そのヒーターを面上に具備する皿部と、その皿部の下層に設けられた灰収納部と、を有し、皿部の四方の側面は、三方を香炉本体の壁面、一方を灰収納部に接合している前面壁で囲われており、灰収納部は、前面壁と一体的に香炉本体から引き出し自在であることにする。
【０００７】
さらに、皿部を覆う蓋体を有し、その蓋体は、ヒーターの直上に抹香投入口と、その抹香投入口の周囲に空気孔と、を有し、抹香投入口は、蓋体の上面からヒーターに向かって開口が徐々に狭くなる漏斗形状であることにする。
【考案の効果】
【０００８】
本考案の香炉は、引き出し形式の灰収納部を有することで、燃え残った抹香や灰を簡単に素早く片づけることができるという効果を奏する。また、皿部の上部に蓋体を被せることで、燃え残った抹香や灰を隠すことができる。
【図面の簡単な説明】
【０００９】
【図１】香炉の斜視図であって、（ａ）は使用中の状態、（ｂ）は灰収納部を引き出した状態である。
【図２】香炉の断面図であって、（ａ）は焼香中の状態、（ｂ）は灰等を掃除している状態である。
【図３】蓋体を追加した香炉であって、（ａ）は上面図、（ｂ）は断面図である。
【考案を実施するための形態】
【００１０】
以下、本考案の実施の形態を添付図面を参照して説明する。
【００１１】
図１は、香炉の斜視図であって、（ａ）は使用中の状態、（ｂ）は灰収納部を引き出した状態である。この香炉１は、主に納骨堂で用いられるものであって、不特定の参拝者が順次使用するものである。したがって、香をたくときに炭を用いると、その都度炭に火を付ける手間がかかるため、皿部１１の上面中央付近に、電気により加熱されるヒーター１５を設けている。そして、参拝者は抹香入れ３０に入っている抹香をヒーター１５の上に落とすことで、簡単に香をたくことができる。
【００１２】
香炉１を上面から見ると、抹香入れ３０と、抹香を燃焼させる皿部１１とが壁面１３を隔てて隣り合って配置されている。皿部１１は、壁面１２，１３，１４と前面壁２１によって四方を囲まれた構成になっている。
【００１３】
皿部１１の下層には灰収納部２０が設けられていて、この灰収納部２０と前面壁２１は接合されていて、香炉１本体から引き出し自在な構造になっている。図１（ｂ）は、灰収納部２０を引き出した状態であり、このとき、皿部１１は、三方を壁面１２，１３，１４で囲まれているが、前面壁２１は皿部１１から離されて、その間に隙間ができる。そして、皿部１１の上にある燃え残った抹香や灰を、その隙間から灰収納部２０へ掃き落とすことができる構造になっている。
【００１４】
図２は、香炉の断面図であって、（ａ）は焼香中の状態、（ｂ）は灰等を掃除している状態である。つまり、図２（ａ）は前面壁２１と皿部１１が接触している状態であり、図２（ｂ）は前面壁２１を皿部１１から離して灰収納部２０を引き出した状態である。
【００１５】
図２（ａ）では、前面壁２１と皿部１１の間に隙間がないので、皿部１１は四方を囲まれており、焼香中に抹香３１が皿部１１から飛散するのを防いでいる。
【００１６】
図２（ｂ）は、焼香が終わって灰等を掃除している状態なので、灰等３２（燃え残った抹香及び灰）を刷毛などで掃いて、前面壁２１と皿部１１の間の隙間から灰収納部２０へ落としている。このような方法で皿部１１の面上を掃除することができれば、掃除が楽であり、かつ素早く灰等３２を片付けることができる。したがって、別の参拝者が直ぐに来た場合でも、素早く灰等３２を片付けられるので、次の参拝者を待たせずに焼香を始めることができる。
【００１７】
図１，２のような構造の香炉であれば、灰等の片付けは容易であるが、更に参拝を円滑に行うために、掃除の効率を高めたいと考え、とりあえず皿部の上に載っている灰等を見え難くすることができれば、複数組の参拝が済んだ後でまとめて掃除をすればよいことになると考えた。そこで、灰等の片付けを簡単にした香炉について、更に、皿部の上に目隠し用の蓋体を被せることで、掃除の回数を減らし効率的に使用することができる香炉を考案した。図３は、蓋体を追加した香炉であって、（ａ）は上面図、（ｂ）は断面図である。
【００１８】
この香炉１０の基本的な構成は、図１，２で示した香炉１に蓋体１６を追加したものである。したがって、上面から見ると、抹香入れ３０と皿部１１が壁面１３を隔てて隣り合わせに配置されており、皿部１１の下層に灰収納部２０が設けられている。この灰収納部２０は前面壁２１と一体的に香炉１０本体から引き出し自在な構造になっている。また、皿部１１の上面中央付近にヒーター１５が備えられており、抹香をヒーター１５の上に落とすことで香をたくことができる。
【００１９】
そして、皿部１１を覆う蓋体１６が備えられている。この蓋体１６は、皿部１１の全体を覆う大きさなので、壁面１２，１３，１４及び前面壁２１に囲まれた範囲にちょうど嵌る形状をしている。また、皿部１１の上に蓋体１６を被せたときに、壁面１２，１３，１４及び前面壁２１の天端と蓋体１６の上面の高さがほぼ同じになる大きさである。
【００２０】
蓋体１６の上面中央付近には抹香投入口１７が設けられている。つまり、抹香投入口１７の真下付近にはヒーター１５が備えられていることになる。この抹香投入口１７は、蓋体１６の上面からヒーター１５に向かって開口が徐々に狭くなる漏斗形状をしている。したがって、抹香を抹香投入口１７に投入すると抹香が滑り落ちてヒーター１５の上に落ちる構造になっている。なお、抹香投入口１７は、ヒーター１５に向かって開口が徐々に狭くなっているので、ヒーター１５上に落ちた抹香は、しっかりと覗き込まない限り、参拝者からはほとんど見えない構造になっている。
【００２１】
また、蓋体１６の抹香投入口１７の周囲には、空気孔１８が設けられている。空気孔１８の箇所数は特に限定しないが、燃焼のための空気を取り入れるだけでなく、抹香から出る煙がきれいに見えた方がよいので、抹香投入口１７の周りに複数箇所設けるのがよい。
【００２２】
このような蓋体１６を備えると、皿部１１の上に燃え残った抹香や灰が載っていても参拝者からはほとんど見えないので、皿部１１の上に灰等を溜めておいてもほとんど問題はない。そして、ある程度灰等が溜まってからまとめて掃除をすればよいことになる。掃除をするときは、前面壁２１を持って灰収納部２０を引き出し、蓋体１６を持ち上げ、皿部１１の上の灰等を灰収納部２０へ掃き落とせばよい。なお、蓋体１６は、前面壁２１を動かすことで、前面壁側の側面が露出されるので、持ち上げるのも容易である。
【００２３】
以上の通り、本考案に係る香炉は、引き出し形式の灰収納部を有することで、燃え残った抹香や灰を簡単に素早く片づけることができ、更に蓋体を設けることで、掃除の回数も減らすことができるので、納骨堂のように多数の参拝者が使用するような場面において、非常に便利な機能を有しているといえる。
【符号の説明】
【００２４】
１，１０ 香炉
１１ 皿部
１２，１３，１４ 壁面
１５ ヒーター
１６ 蓋体
１７ 抹香投入口
１８ 空気孔
２０ 灰収納部
２１ 前面壁
３０ 抹香入れ
３１ 抹香
３２ 灰等
【図１】
0003218778.tif 000003
【図２】
0003218778.tif 000004
【図３】
0003218778.tif 000005